(57)【要約】  飲料保持装置は、首部を設けられた実質的にプラスチック製の容器を備え、容器の内部空間に液体が提供され、かつ首部にまたはその中に弁が設けられており、弁を貫通して分注手段が延在し、この弁は首部内または首部に固定され、容器内の液体を加圧するために容器内の飲料の加圧用に加圧装置が設けられ、首部内または首部に要素が設けられ、この要素は少なくとも部分的に容器の内部空間内に延び、少なくとも部分的に分注手段を包囲している。【選択図】図１
2011517647.tif 000002
【特許請求の範囲】
【請求項１】
飲料保持装置であって、
首部を設けられた実質的にプラスチック製の容器を備え、
前記容器の内部空間に液体が提供され、かつ前記首部にまたはその中に弁が設けられており、
前記弁を貫通して分注手段が延在し、
前記弁は前記首部内または前記首部に固定され、
前記容器内の前記液体を加圧するために、前記容器中の飲料の加圧用に加圧装置が設けられ、
前記首部内または前記首部に要素が設けられ、前記要素は少なくとも部分的に前記容器の前記内部空間内に延び、少なくとも部分的に前記分注手段を包囲している
ことを特徴とする飲料保持装置。
【請求項２】
前記容器は前記首部に肩部を備え、前記肩部に前記要素が少なくとも部分的に載置されていることを特徴とする請求項１に記載の保持装置。
【請求項３】
前記弁は、前記首部に溶接により固定されていることを特徴とする請求項１または２に記載の保持装置。
【請求項４】
前記弁は前記首部の上方の縁部に固定されていることを特徴とする請求項１〜３のいずれか一項に記載の保持装置。
【請求項５】
前記容器は、ブロー成形されたプラスチック瓶であることを特徴とする請求項１〜４のいずれか一項に記載の保持装置。
【請求項６】
前記加圧装置は、前記容器内に含まれ、前記要素から懸架されていることを特徴とする請求項範囲１〜５のいずれか一項に記載の保持装置。
【請求項７】
前記加圧装置は、ガスを充填された圧力カートリッジと、前記容器内にガスを計量された態様で導入し得る圧力調節装置とを備えたことを特徴とする請求項６に記載の保持装置。
【請求項８】
前記飲料は炭酸飲料であり、前記圧力調節装置は前記容器内の圧力を０℃と１５℃の間の温度における前記飲料中の二酸化炭素の平衡圧力にほぼ等しいレベルに調整するように構成されていることを特徴とする請求項１〜７のいずれか一項に記載の保持装置。
【請求項９】
前記容器内の前記加圧装置は前記弁から懸架されていることを特徴とする請求項１〜８のいずれか一項に記載の保持装置。
【請求項１０】
前記要素は、内側容器であることを特徴とする請求項１〜９のいずれか一項に記載の保持装置。
【請求項１１】
請求項１〜１０のいずれか一項に記載の保持装置または請求項１〜１０のいずれか一項に記載の容器をブロー成形するためのプリフォームもしくは一組のプリフォーム。
【請求項１２】
保持装置の形成方法であって、
首部を有するプラスチック容器内に前記首部を通って飲料を充填し、
前記首部を弁により少なくとも部分的に閉鎖し、
分注装置が前記容器の内部空間内に挿入され、
前記容器の内部空間内に要素が前記首部からまたは前記首部内に懸架され、
前記要素は、前記飲料が前記容器から前記分注装置を通ってのみ分注されるように、少なくとも部分的に前記分注装置を包囲している
ことを特徴とする方法。
【請求項１３】
圧力調節器が前記容器内に前記首部を通って、前記要素から懸架されて導入されていることを特徴とする請求項１２に記載の方法。
【請求項１４】
前記圧力調節器は、前記弁を用いて前記首部内および／または前記首部から懸架され、前記弁の溶接により前記首部に固定されていることを特徴とする請求項１３に記載の方法。
【請求項１５】
容器の首部を閉鎖するための弁であって、前記弁は、容器の首部に適合するためのフランジを備え、かつ圧力調節器が前記容器内で前記首部から圧力調節器のような人工物を懸架する懸架手段を設けられていることを特徴とする弁。
【発明の詳細な説明】
【技術分野】
【０００１】
本発明は、飲料を貯蔵する装置に関する。
【背景技術】
【０００２】
炭酸飲料のような飲料、例えば清涼飲料またはビールが、例えば瓶、缶もしくは樽（ケグ）入りで提供することができる。飲料がプラスチック瓶に包装される場合、通常はブロー成形された瓶であってスクリューキャップによって閉じられた首部を有するものが用いられる。飲料を注ぎ出すには、このキャップを回して外す。その際、飲料の一部分を注ぎ出すことができ、キャップは首部に再び回し戻すことができる。
【０００３】
飲料が缶または樽に包装されている場合、通常はガスシリンダのような外部圧力源と、缶または樽内の圧力を調節する注入装置とが用いられる。その後、飲料は加圧下に当該目的用に構成されたタップ器具（ｔａｐｐｉｎｇ  ｄｅｖｉｃｅ）を介して分注される。
【０００４】
欧州特許第１０６４２２１号公報明細書から、プラスチックまたは金属製の容器に圧力調節器が例えば容器の底部に貼り付けられることによって、またはカバーから吊されることによって設けられている装置が知られている。
【発明の概要】
【発明が解決しようとする課題】
【０００５】
本発明の目的は、構造および使用法が簡単な飲料保持装置を提供することにある。本発明の別の目的は、飲料を加圧下に分注することができる飲料保持装置を提供することにある。本発明のさらに別の目的は、飲料がコンタミネーションのような外界の影響から保護される飲料保持装置を提供することにある。これらおよび／または他の目的は本発明による保持装置または方法により達成することができる。
【課題を解決するための手段】
【０００６】
第１の態様では、本明細書による飲料保持装置は、開口部を有する首部を設けられた実質的にプラスチック製の容器を備え、この容器の内部空間に液体が供給され、かつ首部にまたはその中に弁が設けられている。弁を貫通して分注手段が延在する。弁は少なくとも溶接技術を用いて首部内または首部に固定され、容器中のを加圧するために加圧装置が設けられている。首部内または首部に要素が欠陥され、容器の内部空間内に少なくとも部分的に延在し、少なくとも部分的に分注手段を包囲している。
【０００７】
別の態様では、保持装置の製造方法が説明される。首部を有する容器内に、首部を通って液体が導入され、首部は弁により少なくとも部分的に閉鎖される。分注装置が容器の内部空間内に挿入され、容器の内部空間内に首部からまたは首部内に要素が懸架される。要素は少なくとも部分的に分注装置を包囲し、飲料が容器から分注装置のみを通って分注されるようにしている。保持装置保持装置保持装置
【０００８】
本発明の説明において、保持装置または分注装置およびそれらの部品並びに方法が図面を参照してさらに詳細に説明される。
【図面の簡単な説明】
【０００９】
【図１】保持装置の第１の実施の形態の部分断面側面図である。
【図２】図１の保持装置の一部分の拡大図であり、分注管の概略を示す。
【図３】保持装置の第２の実施の形態の部分断面側面図である。
【図４】図３の保持装置の一部分の拡大図である。
【図５】本発明による保持装置の一部分の概略図であり、圧力装置が溶接装置、特に超音波溶接装置の支援により保持装置上に固定されている。
【図６】図1と同様の保持装置を示す図であり、代替締結手段を有する。
【図７】図２と同様の保持装置の一部分を示す図であり、さらなる代替締結手段を有する。
【図８】図１による締結手段と別の実施の形態の締結手段とを隣接して示す図である。
【図９】第１の代替ブラケットを示す図である。
【図１０】第２の代替ブラケットを示す図である。
【図１１】図１０の代替ブラケットを有する、図１１Ａに斜視図で示す保持装置の一部分を示す図である。
【図１１Ａ】図１０の代替ブラケットを有する保持装置の斜視図である。
【図１２】保持装置の首部に懸架または指示された内部要素の締着のさらなる代替実施形態を示す図である。
【図１３】保持装置の首部に懸架または指示された内部要素の締着のさらなる代替実施形態を示す図である。
【図１４】部分的に透明な実施の形態の保持装置を示す図であり、スタンドリングが底部に隣接している。
【図１５】２つの保持装置が上下にちゅみかさなった部分を示す図である。
【図１６】２つの齟齬に結合された保持装置の側面図である。
【発明を実施するための形態】
【００１０】
本明細書において、同じ部品または関連する部品は同じまたは関連する参照符号を有する。図示された実施の形態は説明の目的のためにのみ示されており、いかなる意味においても制限的に解釈されてはならない。本明細書では、実施例はビール、特にラガータイプのビールについて説明される。しかしながら、他のタイプの飲料も本明細書による装置から分注することができる。本明細書において「下方（ｌｏｗｅｒ）」という語は図において底部に表されている保持装置の側を指す。「上方（ｕｐｐｅｒ）」という語は、従って、その反対側であると理解される。
【００１１】
本明細書では、就中、保持装置に全体的にまたは部分的に挿入され、懸架されおよび／または指示され、あるいはその他の態様で係止または配置される要素が説明される。ある実施の形態では、この内部要素は圧力調節装置を備えていてもよい。他の実施の形態では、この要素は内部瓶、内部ジャケット、バッグ、ウィジェット等を備えていてもよい。保持装置に配置することができる他の要素の多数の変形例が可能であり、ここに開示されているものと了解される。
【００１２】
図１は保持装置１の概略を一部断面側面図で示す。保持装置１は、例えば飲料３で全部または一部充填された容器２と、分注装置４とを備える。飲料３はビールであってもよい。一実施の形態では、保持装置容器２はブロー成形されたプラスチック製瓶として形成してもよい。別の実施の形態では、容器２は全体または一部分をプラスチックから回転成形、射出成形その他により形成されてもよい。容器は全体または一部分を金属のような異なる材料から製造してもよい。容器２は本体５、首部６および底部７を設けられている。底部７は、例えば、３、４または５個の支持足部を有する「花弁状」（“ｐｅｔａｌ”）底部であってもよい。このようにして、自立型瓶を得ることができ、それは比較的高い、例えば５バール以上の内部圧力、に対してさらに抵抗性が高い。別の実施の形態では、瓶は、例えばその上に瓶を立てることができるスタンドリング（図示しない）を設けられていてもよい。このリングは、例えば、形成され、接着され、、一体的射出成形その他の方法により設けられる。本体５は単純な方法で内部圧力に抵抗することができるように球状であってもよい。しかしながら、異なる形状であってもよい。本体５と、底部７と首部６とで実質的に内部空間８を規定しており、この内部空間８内に飲料が受け入れられる。内部空間８内に実質的に分注装置４が延在している。
【００１３】
分注装置４は、本実施の形態では、例えば、オランダ国特許第１００８６０１号公報明細書から公知の装置、例えば図１〜３に図示された装置を備えていてもよい。本実施の形態で使用されるべき分注装置４および／または加圧装置９の可能な実施の形態の他の例は例えば欧州特許第ＥＰ１１４０６５８号明細書、国際特許出願公開第ＷＯ２００５／０９５２２９号パンフレット、欧州特許第１６４２８６１号公報明細書、米国特許第５３６８２０７号公報明細書、または本出願人の２００８年３月３１日出願の未公開特許出願「圧力調節器およびこれを設けたタップ装置」または「加圧器を設けたタップ装置」から知られている。これらの装置４，９は単なる説明のためにだけ言及されており、いかなる意味においても限定的に解釈されるべきではない。これらの装置は、すべて、内部空間８内の内部圧力に基づいて、および／またはユーザーによる操作により、内部空間８内の圧力を圧力調節器具１１に制御されて、貯蔵タンク１０からの加圧ガスを内部空間８に導入することにより調節するように構成されている。
【００１４】
本実施形態の加圧装置９はエアロゾル容器１０を貯蔵タンクとして備え、エアロゾル弁（図示しない）により閉じられている。圧力調節装置としての圧力制御された調整ユニット１１が、内部空間８の圧力が所望の圧力未満に低下するとエアロゾル弁が調整ユニット１１によって開くことができるように、エアロゾル容器１０に固定されている。好ましくは、その結果、加圧装置９は内部空間の圧力を飲料中のＣＯ２の所望の温度における平衡圧力、例えば約１．２バール絶対と２バール絶対の間、特に例えば０と１５℃の間、例えば６℃において、約１．４バールと１．６バールの間の圧力に作用的に調節する。例えば、ビル以外の飲料については、もちろん、それぞれの場合、適切な圧力を設定することができる。
【００１５】
図１に示す実施の形態では、容器１０を有する加圧装置９は、例えば金属製であってもよいが、底部１２により首部６の側から吊されている。図１に示される位置の調整ユニット１１は、従って、下向きであり、底部７に向き合っている。しかしながら、使用時の実際の位置は当然保持装置１の向きによっても決まることが明らかである。図１において、保持装置１は底部７上に据え付けられている。加圧装置９は例えばプラスチック製のブラケット１３に懸架される。このブラケット１３は底部１２に接続する容器１０の部分４５を締め付け包囲する。別の実施の形態では、容器１０または加圧装置９はそれ自体は異なる方法で、例えば接着により、締着手段と協働することにより、ブラケット１３および／または容器１０および／または調整ユニット１１に固定することができる。
【００１６】
首部６の側でブラケット１３が懸架リング１５に取り付けられているか、あるいは懸架リング１５を設けられている。一実施の形態では、懸架リング１５は実質的に円盤状であり、下方側の縁部１６により首部６の上方側１８に載置されている。懸架リング１５の下方側１７には、リング６内に締着リング１９が設けられている。締着リング１９内に、ブラケット１３の上側に取り付けられたリング２０が締着されている。別の実施の形態では、ブラケット１３は懸架リング１５に一体に形成されていてもよく、あるいは懸架リング１５に別の仕方で、例えば溶接、接着、スナップ式取り付け、ネジ止め等により固定されていてもよい。
【００１７】
懸架リング１５は中央開口部２１を設けられており、その周囲に懸架リング１５の上側において縁部（エッジ）２２が延在している。図２に明瞭に示されているように、弁２３、特にエアロゾル弁型の弁２３が配置されている。これは例えば欧州特許出願第９９９６００３６．４号明細書に記載されているように、オランダ国ハイネケン社のタプバット（Ｔａｐｖａｔ（登録商標））ケグにも使用されている。ＣＯ２または他の噴射剤が外側から容器２の内部空間８内に導入される場合は、その目的のために、上述の弁に加えて、例えば第２のエアロゾル型弁のような第２の弁、一方弁または開放入口が設けられてもよい。その場合、国際特許出願公開第ＷＯ２００８／０４８０９８号パンフレット明細書（同明細書は少なくとも弁および圧力調節器に関して本明細書において参照される）に記載されているように、エアロゾル弁のような二重動作弁が使用されてもよい。
【００１８】
図示の実施の形態では、弁２３にはスリーブ２４が設けられ、スリーブ２４内にばね３５が支持されている。ばね２５は弁本体２６を例えばプラスチックまたはゴム製の弁座２７に押しつける。弁本体２６が押し下げられ、弁座２７から離れると、飲料が弁２６を通過し分配され得る。スリーブ２４の下側にはライザー管２８が取り付けられており、ライザー管２８は底部７まで延びている。例えば金属製であってもよいスリーブ２４はクリンチ板２９内に固定される。クリンチ板２９はその外縁３０によって縁部２２に固定される。外縁３０は、例えば縁部２２に絡みつかせることができる。意外にも、これはクリンチ板２９が鋼またはアルミニウムのような金属から製造され、リング１５がプラスチックから製造される場合に非常によく実行できる。
【００１９】
懸架リング１５は下側１７において溝３１が設けられており、首部６の上側１８と比較的密に嵌合して摺動することができる。溝３１内において縁部３２、例えばやや先の尖った、例えば実質的に三角形または放物線状の断面を有する縁部３２が設けられていてもよい。その結果、懸架リング１５は、首部の上側１８の上に置かれると、縁部３１上に支持されるので、比較的に小さな接触面が得られる。縁部３２は、好ましくは溝３１の深さより小さな高さを有し、それによりその位置で溝３１は首部６の内側および外側に当接するそれぞれの縦縁部３３を有する。それにより首部６は適切に位置決めされる。この状態で、懸架リング１５を首部６に固定することができる。そのために、好ましくは溶接技術を用いて首部６および／または懸架リング、存在する場合は縁部３２を含み、その材料の一部が懸架リング１５少なくとも溶融する。その結果、良好な接触面が得られ、この材料の冷却時に首部と懸架リング１５との間に堅固な結合が得られる。有利な一実施の形態では、図５に概略を示すように、超音波溶接技術が用いられ、超音波溶接機４７のホーン（ラウドスピーカー）４６が懸架リング１５および首部６に向けられている。溶接技術、特に超音波溶接技術を使用する場合の利点は、例えば容器２に飲料を充填した結果、例えばリング１５および／または首部６が湿っているときでも、特に良好な結合が得られることである。その結果、保持装置が充填された後に接続を得ることもできる。接続は可逆的でないことが好ましい。これは、ユーザーが懸架リング１５を首部から分離することにより保持装置を開けることができないことを意味する。このようにして、コンタミネーションその他のビールの改ざんの機会が防止される。懸架リング１５は密封を形成する。本実施の形態の懸架リングは、開口部２１の周りに縁部１６よりも肉薄の中央領域を持っていてもよい。この中央領域は閉鎖表面を形成することができ、縁部は場合により中央領域から立ち上がっている。
【００２０】
図１および図２に示す実施の形態において、懸架ブラケット１３は、加圧装置９が首部６の中心線Ｈ、かつ図示の実施の形態では、保持装置１の縦軸線または中心線Ｈ１に関して偏心した位置に懸架されるように設計される。このために、締着リング１４はブラケット１３に対して偏心して載置されている。加圧装置９は、例えば、充填装置（図示しない）の充填管３４（図２に破線で示されている）が開口部２１を通って首部６および／または保持装置１の縦軸線Ｈ１に平行に、加圧装置９がそれらに触れられることなく挿入され得るように懸架される。これにより、加圧装置９は保持装置１の充填に先立って充填装置が適合されることを必要とすることなく配置することもできる。充填管３４は保持装置１に底部７近傍の地点まで挿入することができる。充填語、弁２３が配置され、例えばクリンチング（ｃｌｉｎｃｈｉｎｇ）その他により固定することができる。首部６は好ましくは半径が１３ｍｍを越える円形断面または５３０ｍｍ２を越える断面積を持つ通過領域を有する。半径は例えば約１３ｍｍと約２０ｍｍの間、好ましくは約１３ｍｍと１６ｍｍの間であってもよく、あるいは表面は匹敵する割合からなる。このようにして、十分な堆積を持つ加圧装置９が首部６を通って簡単に導入することができるが、一方その容器１０は円筒状であってもよい。溶接技術、特に超音波溶接により、スクリュー・キャップを使用する必要がない。
【００２１】
図１および図２に示す実施の形態では、ブラケット１３と懸架リング１５の間に少なくとも１つの立上り面（ｒｉｓｉｎｇ  ｓｕｒｆａｃｅ）３６が設けられ、立上がり面３６は傾斜縁３７を有する。側面図で見ると、立上がり面３６は、例えば、懸架リング１５に隣接する首部の縦軸線Ｈのほぼ近傍から保持装置１の高さ方向から見てブラケット１３のほぼ中央に隣接するところまで延在する。１つまたはそれぞれの立上がり面３６が好ましくは加圧装置が首部６を通って挿入され、かつ例えば解放されると、加圧装置９は重力の影響下で内部空間８内に押し込まれると同時に、立上がり面３６により側方に押され懸架リング１５が首部６に当接する。このようにして、加圧装置９は特に簡単かつ実質的に自動的に適正な位置に配置される。
【００２２】
図示の実施の形態では、懸架リング１５は首部６の上側に支持される。このような構造の利点は、加圧装置が重力によってその位置に移動することができ、それ以上は容器内に落下しないことである。さらに、これにより溶接が簡単になる。しかしながら、懸架手段と首部６が相互に溶接可能である限り、当然、他の構造を用いることも可能である。
【００２３】
図２において、分注チューブ４０の概略が示されており、分注チューブ４０は操作ボタン４１により流路部分（ｃｈａｎｎｅｌ  ｐａｒｔ）４２とともに弁２３、特に弁本体２６内に挿入される。操作ボタン４１が押し下げられると、弁２３が開き、飲料が内部空間８から分配チューブ４０を介して分注され得る。
【００２４】
図３および図４において、本発明による保持装置１の一部分の別の実施の形態が図示されている。大体の輪郭は図１および図２による保持装置と同じであるが、加圧装置９は首部６の直下に懸架されている。この場合も懸架リング１５は首部６に例えば溶接技術、特に超音波溶接により固定される。この実施の形態におけるブラケット１３は実質的に管状であり、傾斜面３７が配設されているため、ライザー管２８が開口部２１を通って挿入されるとライザー管は押し退けられて曲がり、簡単に加圧装置９に沿ってかつ少なくとも容器１０に沿って移動することを強いられるようになっている。開口部３８を面３７の下側近傍に設け、この開口部３８にチューブ３９を接続してライザー管が正しい方向に案内されるようにしてもよい。容器は加圧装置を載置する前に充填してもよいが、開口部２１を通して充填してもよい。開口部４７が設けられ、これらを通してビールのような飲料が管状ブラケット１３を介して内部空間８内に流入することが可能である。
【００２５】
一実施の形態では、保持装置２または少なくともその首部６を溶接可能な、特に超音波溶接可能なプラスチック、例えばＰＥＴ、ＰＥＮ、ＰＥ、ＰＰ等から製造することができる。このプラスチックはその上好ましくはリサイクル可能である。前述の圧力またはそれより高い圧力において耐圧性の容器２を得るためには、特に、比較的厚い壁厚、例えば、限定されないが、数十分の１ミリメートルと数ミリメートルの間の厚さを有する容器２をブロー成型することが可能なプラスチックを使用することが好ましい。懸架リング１５はそれと適合性を有するプラスチックから製造してもよい。ここに、適合性という用語は、首部６のプラスチックと溶接可能、特に超音波溶接可能であることを指すものと了解される。一実施の形態では、容器２および懸架リング１５はＰＥＴまたはそのブレンドから製造される。ブラケット１３は異なるプラスチックまたは同じプラスチックから製造してもよい。容器２中の加圧装置の全体的懸架は、例えば２Ｋ以上の射出成形により製造することができる。これらの例は単に説明のためであり、いかなる意味においても限定的に解釈されるべきでない。
【００２６】
有利な一実施の形態では、懸架リング１５は特に懸架装置１５が容器２に接続される部分において少なくとも部分的に透明である。このようにすると、懸架リング１５と容器２、特に首部６との間の溶接を特に光学式に、例えば目視検査により、容易にチェックすることができる。そのような検査は裸眼で行なうことができるが、例えばＣＣＤカメラのようなカメラと画像認識ソフトウエアにより行なってもよい。また、実地上それ自体知られている他のシステムを用いてそのような溶接を（半）自動的にチェックしてもよい。ここでは、透明という用語は、少なくとも、それに限らないが、上述の接合をチェックするのに適切な光の周波数に対して透過性であることを意味する。
【００２７】
詳細な説明においては、懸架リングの協働する縁部と容器の首部、特にその上側の構造の一例を提示したが、例えばミルフォード市ソニテック−ソニック・アンド・サーマル・テクノロジーズ社（Ｓｏｎｉｔｅｋ−Ｓｏｎｉｃ＆Ｔｈｅｒｍａｌ  Ｔｅｃｈｎｏｌｏｇｉｅｓ，  Ｉｎｃ．）の刊行物から知られているように、多くの変更が可能である。これらおよび類似の構造を本発明による保持装置１において使用してもよい。可能な複数の構造からの選択は選択された使用に基づいて当業者により容易に行ない得る。例示的な一実施の形態では、懸架リング１５は縁部１７において厚さが３．０ｍｍであり、縁部３２は高さ０．６ｍｍのほぼ三角形上の断面を有する。懸架リング１５および首部６はＰＥＴから製造された。テルソニック（Ｔｅｌｓｏｎｉｃ）社のソノトロード（Ｓｏｎｏｔｒｏｄｅ）ＴＥ２０  １０４Ｂ２／１を備えた超音波溶接機ＵＳＰ−３０００／５ＫＷ型を用いて、溶接圧力２．９バール、最大パワー５５６２Ｗ、エネルギー３００Ｗｓ、保持時間０．５秒、超音波照射時間１１０ｍｓの設定で、懸架リング１５を首部６に溶接した。当然、他の超音波溶接機も使用可能であり、設定は、就中、使用された材料および使用された形状による。
【００２８】
図６に保持装置１の一実施の形態が図示されている。図１による実施の形態と同様であるが、ブラケット１３は首部６および内部空間８内に、懸架リング１５を覆って首部に締着された保持リング４８により、係止されている。この実施の形態では、首部６は内側にショルダー４９が設けられており、この肩部４９上に保持リング１５が置かれている。肩部４９の周りに直立縁部５０が延びており、直立縁部５０の高さは懸架リング１５厚さにほぼ等しい。このようにして、懸架リングが保持リング４８と肩部４９の間に係止される。保持リング４８は中央開口部５１を有し、この中央開口部５１を貫通して分注装置４の一部分が延びていてもよい。首部６は外側に２つの補強縁部５２、５３を設けられている。これらにより、首部の寸法安定性が向上される。保持リング４８は、２つの補強縁部５２の上側のものに嵌合する環状溝５４を有し、そのため強固な結合が得られ、ブラケット１３が適切に容器２に係止される。この結合は溶接することもできるが、必須ではないという利点がある。従って、プラスチックおよび／または他の材料の任意の所望の組み合わせを使用することができる。
【００２９】
ブラケットおよび／または懸架リング１５は容器２とおよび／または相互に接着または融合により結合されていてもよい。
【００３０】
図７は、図２に示すものと同様の保持装置の一部を示す図である。保持リング４８は首部６と懸架リング１５を覆ってねじ込まれる。そのとき、懸架リング１５は前述のように首部６の上側に置かれ保持リング４８によって首部６に対して締着される。
【００３１】
図８は、図１および図２による保持装置１の一部分（左）と、別の実施の形態による保持装置の一部分とを弁２３およびライザー管２８を省いて、隣り合わせに図示したものである。懸架ブラケット１３は図６と同様に肩部４９上のリング２０に懸架されている。保持リング４８−ここでは、図１による懸架リング１５と同様の設計であるが縁部１９を持たない−がリング２０を覆って首部６上に置かれ、溶接または接着のような連結技術により首部６に連結される。リング２０の外形Ｄｒは肩部４８の上方で首部６の内径Ｄｂよりもわずかに大きくなっていてもよく、その場合、リング２０はラジアル方向にわずかに締着される。このように、ブラケット１３保持リング４８の締結の際に、保持リング４８をその目的のために押しつける必要なく、適切な位置により良く保持されることが可能である。弁は縁部２２に、例えば締着またはクリンチにより固定することができる。
【００３２】
図９は、懸架ブラケット１３の斜視図、上面図および側面図である。懸架ブラケット１３はプラスチックから製造されるのが好ましく、締着リング１４と通過開口部９９を有するリング２０とを備え、結合部分５５により相互に結合されている。結合部分５５は２つの立上がり面３６を設けられており、これら立上がり面３６は、さらに、リング２０と結合部分５５の間の補強要素として機能する。リング２０は内側リング５６、中央リング５７及び外側ｒ４イング５８を設けられ、スポーク５９により相互に結合されている。これらのスポーク５９は、例えばラジアル方向に、例えば、内側リング５６から外側リング５８までまたはこれを越えたところまで延びている。外側リング５８に、例えばスポーク５９により部分的に突起が形成されており、これら突起は肩部４９の上方の縁部５０に対してまたは保持リング４８に対して係合することができる。それらは、縁部５０または保持リング内にリング２０が締着されるように、好ましくは、僅かに変形が可能であるような大きさになっている。このようにして、ブラケットの運動、例えばガタつき、揺動または転動を、少なくとも保持リング４８が載置および／または締結される前に防止することができる。少なくとも内側リング５６は開放されており、そのため分注装置４の一部分がル値側リング５６を通って延在することができる。
【００３３】
図１０にブラケット１３の別の実施の形態の斜視図、底面図、上面図および側面図を示す。この実施の形態でも、たとえば圧力調節器を保持するために、締着リング１４が設けられており、結合要素５５によりリング２０に結合されている。この実施の形態では、リング２０は、スポーク５９により相互に結合された２つの同心リング５６、５８と面６１を備える。面には、スポーク間に、開口部６２が設けられている。内側リングはこの場合も開いている。この実施例では、結合部分５５はわずかに管状かつ実質的に真っ直ぐであり、そのためブラケットはブラケット１３は引き抜き可能であり、単純な開閉モールドを用いて製造することができる。リング２０は、底面図および上面図で見ると、それぞれ締着リング１４のわずかに上方および下方に延びており、結合部分５５は２つのリング１４、２０の仮想交差面に等しい形状を有する。また、リング２０首部内にまたは首部に適合および／または締着するために突起６０を保持リング４８の下方または保持リング４８内に設けてもよい。
【００３４】
図１１Ａに、容器２を示す。容器２はその中にブラケット１３を懸架しており、ブラケット１３は図１０に示すように設計されている。明らかに視認できるように、突起６−は首部６の内側、特に肩部４９の上方の縁部５０に当接している。図１１Ａには、保持リング４８が図示され、リング２０の上に置かれているが、図１１では保持リング４８は省略されている。
【００３５】
図１２は、保持リング１５を用いたブラケット１３の懸架の代替手段を示す。この代替手段は図１および図２によるものと同様であるが、保持リング１５の外側縁部６３に下方に延びる縁部６４が設けられ、縁部６４は、首部６の外側ねじ山６６と協働することができる内側ねじ山６５を設けられている。当然、これもそれ自体公知の異なる結合、例えば差し込み式（ｂａｙｏｎｅｔ）結合であってもよい。所望により、保持リング１５と首部６の結合は、締めることはできるが緩めることはできないように、例えば使い捨てねじまたはラチェット結合を用いることにより設計してもよい。
【００３６】
図１３に、図１２に示したものと同様の結合が図示されているが、ブラケット１３のリング２０は肩部４９に置かれ、保持リング４８は首部６にねじ込まれ、それによりリング２０、ひいてはブラケット１３が係止される。
【００３７】
図１４は、容器２の底部７上に支持体またはスタンドリング６７を設けた保持装置１の一部仮想図である。この支持体またはスタンドリング６８は、特に容器の底部７が突如宇にできるという利点を得られる。別の利点保持装置をより良く、特により安定して立てることができるとともに、積み重ね可能にできる。さらに、リング６７は容器を保護することができる。リングは好ましくはプラスチックから製造される。
【００３８】
図１５に２つの保持装置１の積み重ね方法の概略が示されている。下の保持装置１は首部６を覆うキャップ８８を、例えば下端５３の下にスナップフィンガー８９を用いて締着することにより、設けられている。キャップ８８は弁23を覆い、それにより弁２３が保護され、さらに意図されない使用がなされないようにされている。キャップ８８は、従って、改ざん防止機能を有する。キャップ８８上にグリップ９０を設けることができる。グリップ９０は、図１５に示す貯蔵位置から、上方に保持装置１から遠ざかる方向に延びている持ち運び位置に曲げることが可能であり、そのため、保持装置１はグリップにより担持可能である。また、キャップ上または首部の周りにバッグ、ブリスターその他の包装材９１を設けることができ、例えば注ぎ口部分４０、４１、４２を包装紙、保持装置１と一緒に供給することができる。例えば紙、段ボールまたはプラスチックから製造された中間シート９２を多数の相互に隣接して配置された保持装置１上に置いてもよい。この中間シートは変形部９３または開口部を設けられていてもよく、これらは保持装置のキャップ８８にまたはその周りに配置されていてもよい。次の保持装置または保持装置１の層は、次いで、中間シート９２上に変形部９３または開口部を覆って下にある保持装置１の上方に置くことができる。それらについて多くの変形例が可能であり、これらは当業者にはただちに明らかである。
【００３９】
図６では、２つの保持装置１がグリップ９０により相互に連結された状態が概略側面図で示される。この実施の形態のグリップ９０は、例えば射出成形により一緒に成形することができ、相互に破壊部分９４、例えば比較的薄い橋かけ部により結合されている。連結されたグリップ９０は、貯蔵および輸送の際に保持装置に安定性を提供することができるが、一方それらは２つの保持装置を機械によりまたは手動で一緒に持ち上げることを可能にする。手は、保持装置1を持ち上げるための、２つの連結されたグリップを包含する。さらに、グリップは保持装置１が積まれるとき、特に保持装置が相互に噛合ったパターンで積まれる場合に安定性を与える。さらに、グリップは保持装置１が積まれるときに安定性を与えることができる。
【００４０】
本発明は詳細な説明および図面に表された実施の形態に何ら限定されない。特許請求の範囲に概要を記載された本発明の枠内で多くの変形例が可能である。
【００４１】
変形例はこれらは示された実施の形態の部分の全ての組み合わせを含む。例えば、容器は全体的または部分的に異なって形成してもよく、異なる質量または他の飲料を包装してもよく、さらに、保持装置および加圧装置は任意の所望の形状および寸法を有していてもよい。また、圧力調節装置は容器の外側にまたは容器と内側容器との間に配置してもよい。
【図１】
2011517647.tif 000003
【図２】
2011517647.tif 000004
【図３】
2011517647.tif 000005
【図４】
2011517647.tif 000006
【図５】
2011517647.tif 000007
【図６】
2011517647.tif 000008
【図７】
2011517647.tif 000009
【図８】
2011517647.tif 000010
【図９】
2011517647.tif 000011
【図１０】
2011517647.tif 000012
【図１１】
2011517647.tif 000013
【図１１Ａ】
2011517647.tif 000014
【図１２】
2011517647.tif 000015
【図１３】
2011517647.tif 000016
【図１４】
2011517647.tif 000017
【図１５】
2011517647.tif 000018
【図１６】
2011517647.tif 000019
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
飲料保持装置であって、
首部を設けられた実質的にプラスチック製の容器を備え、
前記容器の内部空間に液体が提供され、かつ前記首部にまたはその中に弁が設けられており、
前記弁を貫通して分注手段が延在し、
前記弁は前記首部内または前記首部に固定され、
前記首部内または前記首部に要素が設けられ、前記要素は少なくとも部分的に前記容器の前記内部空間内に延び、少なくとも部分的に前記分注手段を包囲し、
前記飲料保持装置は前記容器内の前記液体を加圧するための加圧装置が設けられている
ことを特徴とする飲料保持装置。
【請求項２】
前記容器は、前記要素が少なくとも部分的に載置される肩部を前記容器の前記首部に、特に前記容器の前記首部内に備えることを特徴とする請求項１に記載の保持装置。
【請求項３】
前記弁は、前記首部に溶接により固定されていることを特徴とする請求項１または２に記載の保持装置。
【請求項４】
前記弁は前記首部の上方の縁部に固定されていることを特徴とする請求項１〜３のいずれか一項に記載の保持装置。
【請求項５】
前記容器は、ブロー成形されたプラスチック瓶であることを特徴とする請求項１〜４のいずれか一項に記載の保持装置。
【請求項６】
前記加圧装置は、前記容器内に含まれ、前記要素から懸架されていることを特徴とする請求項範囲１〜５のいずれか一項に記載の保持装置。
【請求項７】
前記加圧装置は、ガスを充填された圧力カートリッジと、前記容器内にガスを計量された態様で導入し得る圧力調節装置とを備えたことを特徴とする請求項６に記載の保持装置。
【請求項８】
前記飲料は炭酸飲料であり、前記圧力調節装置は前記容器内の圧力を０℃と１５℃の間の温度における前記飲料中の二酸化炭素の平衡圧力にほぼ等しいレベルに調節するように構成されていることを特徴とする請求項１〜７のいずれか一項に記載の保持装置。
【請求項９】
前記容器内の前記加圧装置は前記弁から懸架されていることを特徴とする請求項１〜８のいずれか一項に記載の保持装置。
【請求項１０】
前記要素は、内側容器であることを特徴とする請求項１〜９のいずれか一項に記載の保持装置。
【請求項１１】
前記弁はリングであるか、あるいはリングを備え、前記リングは前記首部内および／または前記首部上に取り付けられ、
前記リングは開口部を設けられ、該開口部の端部に分注装置、特に弁が、特にクリンチングにより締着されている
ことを特徴とする請求項１〜１０のいずれか一項に記載のホルダー。
【請求項１２】
前記容器内に、圧力調節装置が、前記首部を貫通挿入されて設けられ、
前記圧力調節装置は、前記リングの前記開口部を通って導入することができない大きさである
ことを特徴とする請求項１１に記載の保持装置。
【請求項１３】
前記首部は、表面積が５３０ｍｍ２より大きい通路を有し、
前記リングの前記開口部は、注入装置の注入管が前記リングを通って前記容器内に導入可能である大きさを有する
ことを特徴とする請求項１１または１２に記載の保持装置。
【請求項１４】
前記弁は、好ましくはプラスチック製のクリンチ用端部を設けた開口部を備え、
前記分注装置は、エアロゾル弁を備え、前記エアロゾル弁は好ましくは金属製のクリンチ板を用いて前記クリンチ用端部に固定されている
ことを特徴とする請求項１〜１３のいずれか一項に記載の保持装置。
【請求項１５】
圧力調節装置が前記容器の内部空間内に前記要素を用いて、前記首部および／または容器の縦軸からずれて懸架されていることを特徴とする請求項１〜１４のいずれか一項に記載の保持装置。
【請求項１６】
前記弁と前記容器との間の結合は不可逆的であることを特徴とする請求項１〜１５のいずれか一項に記載の保持装置。
【請求項１７】
請求項１〜１６のいずれか一項に記載の保持装置用の容器。
【請求項１８】
請求項１〜１６のいずれか一項に記載の保持装置用の容器をブロー成形するためのプリフォームもしくは一組のプリフォーム。
【請求項１９】
保持装置の形成方法であって、
首部を有するプラスチック容器内に前記首部を通って飲料を充填し、
好ましくは前記飲料の導入に先立って、前記首部を弁により少なくとも部分的に閉鎖し、
分注装置が前記容器の内部空間内に挿入され、
好ましくは前記飲料の導入に先立って、前記容器の内部空間内に要素が前記首部からまたは前記首部内に懸架され、
前記要素は、前記飲料が前記容器から前記分注装置を通ってのみ分注されるように、少なくとも部分的に前記分注装置を包囲し、
前記分注装置は前記飲料を詰めた後に配置される
ことを特徴とする方法。
【請求項２０】
圧力調節器が前記容器内に前記首部を通って、前記要素から懸架されて導入されていることを特徴とする請求項１９に記載の方法。
【請求項２１】
前記圧力調節器は、前記弁を用いて前記首部内および／または前記首部から懸架され、前記弁の溶接、特に超音波溶接により前記首部に固定されていることを特徴とする請求項２０に記載の方法。
【請求項２２】
容器の首部を閉鎖するための弁であって、
前記弁は、容器の首部に適合するためのフランジを備え、かつ
圧力調節器が前記容器内で前記首部から圧力調節器のような人工物を懸架する懸架手段を設けられており、
前記懸架手段は、好ましくは、少なくとも結合部分により結合されて、前記フランジから一定の距離にリングが設けられ、前記リングを貫通して、または前リングに沿って分注装置のライザー管を形成可能である
ことを特徴とする弁。
【請求項２３】
前記リングは前記フランジの軸線からずれて配置されていることを特徴とする請求項２２に記載の弁。
【手続補正２】
【補正対象書類名】明細書
【補正対象項目名】全文
【補正方法】変更
【補正の内容】
【発明の詳細な説明】
【技術分野】
【０００１】
本発明は、飲料を貯蔵する装置に関する。
【背景技術】
【０００２】
炭酸飲料のような飲料、例えば清涼飲料またはビールが、例えば瓶、缶もしくは樽（ケグ）入りで提供することができる。飲料がプラスチック瓶に包装される場合、通常はブロー成形された瓶であってスクリューキャップによって閉じられた首部を有するものが用いられる。飲料を注ぎ出すには、このキャップを回して外す。その際、飲料の一部分を注ぎ出すことができ、キャップは首部に再び回し戻すことができる。
【０００３】
飲料が缶または樽に包装されている場合、通常はガスシリンダのような外部圧力源と、缶または樽内の圧力を調節する注入装置とが用いられる。その後、飲料は加圧下に当該目的用に構成されたタップ器具（ｔａｐｐｉｎｇ  ｄｅｖｉｃｅ）を介して分注される。
【０００４】
欧州特許第１０６４２２１号公報明細書から、プラスチックまたは金属製の容器に圧力調節器が例えば容器の底部に貼り付けられることによって、またはカバーから吊されることによって設けられている装置が知られている。
【０００５】
国際出願公開第ＷＯ０３／０５００３１号パンフレットは、内袋を有する容器用のバルブ構成を記載している。これにより、バルブ構成は、ガス流路と漏斗状ガス路とを提供し、使用時にこれらを通してガスを外側容器と内袋との間に押し込んで、内袋を圧縮することができる。使用可能とするには、弁構成を有する容器がタップ装置内に配置されなければならず、外部ガス接続装置が排気管と接合されることが必要である。
【０００６】
国際出願公開第ＷＯ８８／０１９８１号パンフレットは、容器と結合するために適合された本体を有する液体分注装置を記載している。この分注装置は、ガスカートリッジを操作する弁を持ち上げ、ガスカートリッジは、使用中に容器内に到達するキャニスター内に埋設されている。ガスカートリッジは異なる容器に使用することができ、ガスカートリッジが空になると取り替えることができる。さらなる装置は反復使用を意図したものである。分注装置が接続されている間は、飲料は容器の外側から自由にアクセス可能である。
【０００７】
米国特許第３６３２０２３号明細書（ＵＳ３６３２０２３）は、容器開口部内に延在する容器接続部と、容器接続部に取り外し可能に接続可能なタップヘッドとを備えたタップ装置を記載している。タップヘッドは自動ガス遮断弁を設けられている。この弁ヘッドと容器接続部は反復使用を意図したものであり、外部ガス源が容器内の飲料を加圧するために設けられている。
【発明の概要】
【発明が解決しようとする課題】
【０００８】
本発明の目的は、構造および使用法が簡単な飲料保持装置を提供することにある。本発明の別の目的は、飲料を加圧下に分注することができる飲料保持装置を提供することにある。本発明のさらに別の目的は、飲料がコンタミネーションのような外界の影響から保護される飲料保持装置を提供することにある。これらおよび／または他の目的は本発明による保持装置または方法により達成することができる。
【課題を解決するための手段】
【０００９】
第１の態様では、本明細書による飲料保持装置は、開口部を有する首部を設けられた実質的にプラスチック製の容器を備え、この容器の内部空間に液体が供給され、かつ首部にまたはその中に弁が設けられている。弁を貫通して分注手段が延在する。弁は少なくとも溶接技術を用いて首部内または首部に固定され、容器中のを加圧するために加圧装置が設けられている。首部内または首部に要素が欠陥され、容器の内部空間内に少なくとも部分的に延在し、少なくとも部分的に分注手段を包囲している。
【００１０】
別の態様では、保持装置の製造方法が説明される。首部を有する容器内に、首部を通って液体が導入され、首部は弁により少なくとも部分的に閉鎖される。分注装置が容器の内部空間内に挿入され、容器の内部空間内に首部からまたは首部内に要素が懸架される。要素は少なくとも部分的に分注装置を包囲し、飲料が容器から分注装置のみを通って分注されるようにしている。
【００１１】
本発明の説明において、保持装置または分注装置およびそれらの部品並びに方法が図面を参照してさらに詳細に説明される。
【図面の簡単な説明】
【００１２】
【図１】保持装置の第１の実施の形態の部分断面側面図である。
【図２】図１の保持装置の一部分の拡大図であり、分注管の概略を示す。
【図３】保持装置の第２の実施の形態の部分断面側面図である。
【図４】図３の保持装置の一部分の拡大図である。
【図５】本発明による保持装置の一部分の概略図であり、圧力装置が溶接装置、特に超音波溶接装置の支援により保持装置上に固定されている。
【図６】図１と同様の保持装置を示す図であり、代替締結手段を有する。
【図７】図２と同様の保持装置の一部分を示す図であり、さらなる代替締結手段を有する。
【図８】図１による締結手段と別の実施の形態の締結手段とを隣接して示す図である。
【図９】第１の代替ブラケットを示す図である。
【図１０】第２の代替ブラケットを示す図である。
【図１１】図１０の代替ブラケットを有する、図１１Ａに斜視図で示す保持装置の一部分を示す図である。
【図１１Ａ】図１０の代替ブラケットを有する保持装置の斜視図である。
【図１２】保持装置の首部に懸架または指示された内部要素の締着のさらなる代替実施形態を示す図である。
【図１３】保持装置の首部に懸架または指示された内部要素の締着のさらなる代替実施形態を示す図である。
【図１４】部分的に透明な実施の形態の保持装置を示す図であり、スタンドリングが底部に隣接している。
【図１５】２つの保持装置が上下に積み重なった部分を示す図である。
【図１６】２つの相互に結合された保持装置の側面図である。
【発明を実施するための形態】
【００１３】
本明細書において、同じ部品または関連する部品は同じまたは関連する参照符号を有する。図示された実施の形態は説明の目的のためにのみ示されており、いかなる意味においても制限的に解釈されてはならない。本明細書では、実施例はビール、特にラガータイプのビールについて説明される。しかしながら、他のタイプの飲料も本明細書による装置から分注することができる。本明細書において「下方（ｌｏｗｅｒ）」という語は図において底部に表されている保持装置の側を指す。「上方（ｕｐｐｅｒ）」という語は、従って、その反対側であると理解される。
【００１４】
本明細書では、就中、保持装置に全体的にまたは部分的に挿入され、懸架されおよび／または指示され、あるいはその他の態様で係止または配置される要素が説明される。ある実施の形態では、この内部要素は圧力調節装置を備えていてもよい。他の実施の形態では、この要素は内部瓶、内部ジャケット、バッグ、ウィジェット等を備えていてもよい。保持装置に配置することができる他の要素の多数の変形例が可能であり、ここに開示されているものと了解される。
【００１５】
図１は保持装置１の概略を一部断面側面図で示す。保持装置１は、例えば飲料３で全部または一部充填された容器２と、分注装置４とを備える。飲料３はビールであってもよい。一実施の形態では、保持装置容器２はブロー成形されたプラスチック製瓶として形成してもよい。別の実施の形態では、容器２は全体または一部分をプラスチックから回転成形、射出成形その他により形成されてもよい。容器は全体または一部分を金属のような異なる材料から製造してもよい。容器２は本体５、首部６および底部７を設けられている。底部７は、例えば、３、４または５個の支持足部を有する「花弁状」（“ｐｅｔａｌ”）底部であってもよい。このようにして、自立型瓶を得ることができ、それは比較的高い、例えば５バール以上の内部圧力、に対してさらに抵抗性が高い。別の実施の形態では、瓶は、例えばその上に瓶を立てることができるスタンドリングを図１４に概略を示すように設けられていてもよい。このリングは、例えば、形成され、接着され、、一体的射出成形その他の方法により設けられる。本体５は単純な方法で内部圧力に抵抗することができるように球状であってもよい。しかしながら、異なる形状であってもよい。本体５と、底部７と首部６とで実質的に内部空間８を規定しており、この内部空間８内に飲料が受け入れられる。内部空間８内に実質的に分注装置４が延在している。
【００１６】
分注装置４は、本実施の形態では、例えば、オランダ国特許第１００８６０１号公報明細書から公知の装置、例えば図１〜３に図示された装置を備えていてもよい。本実施の形態で使用されるべき分注装置４および／または加圧装置９の可能な実施の形態の他の例は例えば欧州特許第ＥＰ１１４０６５８号明細書、国際特許出願公開第ＷＯ２００５／０９５２２９号パンフレット、欧州特許第１６４２８６１号公報明細書、米国特許第５３６８２０７号公報明細書、または本出願人の２００８年３月３１日出願の未公開特許出願「圧力調節器およびこれを設けたタップ装置」または「加圧器を設けたタップ装置」から知られている。これらの装置４，９は単なる説明のためにだけ言及されており、いかなる意味においても限定的に解釈されるべきではない。これらの装置は、すべて、内部空間８内の内部圧力に基づいて、および／またはユーザーによる操作により、内部空間８内の圧力を圧力調節器具１１に制御されて、貯蔵タンク１０からの加圧ガスを内部空間８に導入することにより調節するように構成されている。
【００１７】
本実施形態の加圧装置９はエアロゾル容器１０を貯蔵タンクとして備え、エアロゾル弁（図示しない）により閉じられている。圧力調節装置としての圧力制御された調節ユニット１１が、内部空間８の圧力が所望の圧力未満に低下するとエアロゾル弁が調節ユニット１１によって開くことができるように、エアロゾル容器１０に固定されている。好ましくは、その結果、加圧装置９は内部空間の圧力を飲料中のＣＯ２の所望の温度における平衡圧力、例えば約１．２バール絶対と２バール絶対の間、特に例えば０と１５℃の間、例えば６℃において、約１．４バールと１．６バールの間の圧力に作用的に調節する。例えば、ビル以外の飲料については、もちろん、それぞれの場合、適切な圧力を設定することができる。
【００１８】
図１に示す実施の形態では、容器１０を有する加圧装置９は、例えば金属製であってもよいが、底部１２により首部６の側から吊されている。図１に示される位置の調節ユニット１１は、従って、下向きであり、底部７に向き合っている。しかしながら、使用時の実際の位置は当然保持装置１の向きによっても決まることが明らかである。図１において、保持装置１は底部７上に据え付けられている。加圧装置９は例えばプラスチック製のブラケット１３に懸架される。このブラケット１３は底部１２に接続する容器１０の部分４５を締め付け包囲する。別の実施の形態では、容器１０または加圧装置９はそれ自体は異なる方法で、例えば接着により、締着手段と協働することにより、ブラケット１３および／または容器１０および／または調節ユニット１１に固定することができる。
【００１９】
首部６の側でブラケット１３が懸架リング１５に取り付けられているか、あるいは懸架リング１５を設けられている。一実施の形態では、懸架リング１５は実質的に円盤状であり、下方側の縁部１６により首部６の上方側１８に載置されている。懸架リング１５の下方側１７には、リング６内に締着リング１９が設けられている。締着リング１９内に、ブラケット１３の上側に取り付けられたリング２０が締着されている。別の実施の形態では、ブラケット１３は懸架リング１５に一体に形成されていてもよく、あるいは懸架リング１５に別の仕方で、例えば溶接、接着、スナップ式取り付け、ネジ止め等により固定されていてもよい。
【００２０】
懸架リング１５は中央開口部２１を設けられており、その周囲に懸架リング１５の上側において縁部（エッジ）２２が延在している。図２に明瞭に示されているように、弁２３、特にエアロゾル弁型の弁２３が配置されている。これは例えば欧州特許出願第９９９６００３６．４号明細書に記載されているように、オランダ国ハイネケン社のタプバット（Ｔａｐｖａｔ（登録商標））ケグにも使用されている。ＣＯ２または他の噴射剤が外側から容器２の内部空間８内に導入される場合は、その目的のために、上述の弁に加えて、例えば第２のエアロゾル型弁のような第２の弁、一方弁または開放入口が設けられてもよい。その場合、国際特許出願公開第ＷＯ２００８／０４８０９８号パンフレット明細書（同明細書は少なくとも弁および圧力調節器に関して本明細書において参照される）に記載されているように、エアロゾル弁のような二重動作弁が使用されてもよい。
【００２１】
図示の実施の形態では、弁２３にはスリーブ２４が設けられ、スリーブ２４内にばね３５が支持されている。ばね２５は弁本体２６を例えばプラスチックまたはゴム製の弁座２７に押しつける。弁本体２６が押し下げられ、弁座２７から離れると、飲料が弁２６を通過し分配され得る。スリーブ２４の下側にはライザー管２８が取り付けられており、ライザー管２８は底部７まで延びている。例えば金属製であってもよいスリーブ２４はクリンチ板２９内に固定される。クリンチ板２９はその外縁３０によって縁部２２に固定される。外縁３０は、例えば縁部２２に絡みつかせることができる。意外にも、これはクリンチ板２９が鋼またはアルミニウムのような金属から製造され、リング１５がプラスチックから製造される場合に非常によく実行できる。
【００２２】
懸架リング１５は下側１７において溝３１が設けられており、首部６の上側１８と比較的密に嵌合して摺動することができる。溝３１内において縁部３２、例えばやや先の尖った、例えば実質的に三角形または放物線状の断面を有する縁部３２が設けられていてもよい。その結果、懸架リング１５は、首部の上側１８の上に置かれると、縁部３２上に支持されるので、比較的に小さな接触面が得られる。縁部３２は、好ましくは溝３１の深さより小さな高さを有し、それによりその位置で溝３１は首部６の内側および外側に当接するそれぞれの縦縁部３３を有する。それにより首部６は適切に位置決めされる。この状態で、懸架リング１５を首部６に固定することができる。そのために、好ましくは溶接技術を用いて首部６および／または懸架リング、存在する場合は縁部３２を含み、その材料の一部が懸架リング１５を少なくとも溶融する。その結果、良好な接触面が得られ、この材料の冷却時に首部と懸架リング１５との間に堅固な結合が得られる。有利な一実施の形態では、図５に概略を示すように、超音波溶接技術が用いられ、超音波溶接機４７のホーン（ラウドスピーカー）４６が懸架リング１５および首部６に向けられている。溶接技術、特に超音波溶接技術を使用する場合の利点は、例えば容器２に飲料を充填した結果、例えばリング１５および／または首部６が湿っているときでも、特に良好な結合が得られることである。その結果、保持装置が充填された後に接続を得ることもできる。接続は可逆的でないことが好ましい。これは、ユーザーが懸架リング１５を首部から分離することにより保持装置を開けることができないことを意味する。このようにして、コンタミネーションその他のビールの改ざんの機会が防止される。この実施の形態において、懸架リング１５は弁に形成されている。本実施の形態の懸架リングは、開口部２１の周りに縁部１６よりも肉薄の中央領域を持っていてもよい。この中央領域は閉鎖表面を形成することができ、縁部は場合により中央領域から立ち上がっている。
【００２３】
図１および図２に示す実施の形態において、懸架ブラケット１３は、加圧装置９が首部６の中心線Ｈ、かつ図示の実施の形態では、保持装置１の縦軸線または中心線Ｈ１に関して偏心した位置に懸架されるように設計される。このために、締着リング１４はブラケット１３に対して偏心して載置されている。加圧装置９は、例えば、充填装置（図示しない）の充填管３４（図２に破線で示されている）が開口部２１を通って首部６および／または保持装置１の縦軸線すなわちセンターラインＨ１に平行に、加圧装置９がそれらに触れられることなく挿入され得るように懸架される。これにより、加圧装置９は保持装置１の充填に先立って充填装置が適合されることを必要とすることなく配置することもできる。充填管３４は保持装置１に底部７近傍の地点まで挿入することができる。充填語、弁２３が配置され、例えばクリンチング（ｃｌｉｎｃｈｉｎｇ）その他により固定することができる。首部６は好ましくは半径が１３ｍｍを越える円形断面または５３０ｍｍ２を越える断面積を持つ通過領域を有する。半径は例えば約１３ｍｍと約２０ｍｍの間、好ましくは約１３ｍｍと１６ｍｍの間であってもよく、あるいは表面は匹敵する割合からなる。このようにして、十分な体積を持つ加圧装置９が首部６を通って簡単に導入することができるが、一方その容器１０は円筒状であってもよい。溶接技術、特に超音波溶接により、スクリュー・キャップを使用する必要がない。
【００２４】
図１および図２に示す実施の形態では、ブラケット１３と懸架リング１５の間に少なくとも１つの立上り面（ｒｉｓｉｎｇ  ｓｕｒｆａｃｅ）３６が設けられ、立上がり面３６は傾斜縁３７を有する。側面図で見ると、立上がり面３６は、例えば、懸架リング１５に隣接する首部の縦軸線Ｈのほぼ近傍から保持装置１の高さ方向から見てブラケット１３のほぼ中央に隣接するところまで延在する。１つまたはそれぞれの立上がり面３６が好ましくは加圧装置が首部６を通って挿入され、かつ例えば解放されると、加圧装置９は重力の影響下で内部空間８内に押し込まれると同時に、立上がり面３６により側方に押され懸架リング１５が首部６に当接する。このようにして、加圧装置９は特に簡単かつ実質的に自動的に適正な位置に配置される。
【００２５】
図示の実施の形態では、懸架リング１５は首部６の上側に支持される。このような構造の利点は、加圧装置が重力によってその位置に移動することができ、それ以上は容器内に落下しないことである。さらに、これにより溶接が簡単になる。しかしながら、懸架手段と首部６が相互に溶接可能である限り、当然、他の構造を用いることも可能である。
【００２６】
図２において、分注チューブ４０の概略が示されており、分注チューブ４０は操作ボタン４１により流路部分（ｃｈａｎｎｅｌ  ｐａｒｔ）４２とともに弁２３、特に弁本体２６内に挿入される。操作ボタン４１が押し下げられると、弁２３が開き、飲料が内部空間８から分配チューブ４０を介して分注され得る。
【００２７】
図３および図４において、本発明による保持装置１の一部分の別の実施の形態が図示されている。大体の輪郭は図１および図２による保持装置と同じであるが、加圧装置９は首部６の直下に懸架されている。この場合も懸架リング１５は首部６に例えば溶接技術、特に超音波溶接により固定される。この実施の形態におけるブラケット１３は実質的に管状であり、傾斜面３７が配設されているため、ライザー管２８が開口部２１を通って挿入されるとライザー管は押し退けられて曲がり、簡単に加圧装置９に沿ってかつ少なくとも容器１０に沿って移動することを強いられるようになっている。開口部３８を面３７の下側近傍に設け、この開口部３８にチューブ３９を接続してライザー管が正しい方向に案内されるようにしてもよい。容器は加圧装置を載置する前に充填してもよいが、開口部２１を通して充填してもよい。開口部４７が設けられ、これらを通してビールのような飲料が管状ブラケット１３を介して内部空間８内に流入することが可能である。
【００２８】
一実施の形態では、保持装置１または少なくともその首部６を溶接可能な、特に超音波溶接可能なプラスチック、例えばＰＥＴ、ＰＥＮ、ＰＥ、ＰＰ等から製造することができる。このプラスチックはその上好ましくはリサイクル可能である。前述の圧力またはそれより高い圧力において耐圧性の容器２を得るためには、特に、比較的厚い壁厚、例えば、限定されないが、数十分の１ミリメートルと数ミリメートルの間の厚さを有する容器２をブロー成型することが可能なプラスチックを使用することが好ましい。懸架リング１５はそれと適合性を有するプラスチックから製造してもよい。ここに、適合性という用語は、首部６のプラスチックと溶接可能、特に超音波溶接可能であることを指すものと了解される。一実施の形態では、容器２および懸架リング１５はＰＥＴまたはそのブレンドから製造される。ブラケット１３は異なるプラスチックまたは同じプラスチックから製造してもよい。容器２中の加圧装置の全体的懸架は、例えば２Ｋ以上の射出成形により製造することができる。これらの例は単に説明のためであり、いかなる意味においても限定的に解釈されるべきでない。
【００２９】
有利な一実施の形態では、懸架リング１５は特に懸架装置１５が容器２に接続される部分において少なくとも部分的に透明である。このようにすると、懸架リング１５と容器２、特に首部６との間の溶接を特に光学式に、例えば目視検査により、容易にチェックすることができる。そのような検査は裸眼で行なうことができるが、例えばＣＣＤカメラのようなカメラと画像認識ソフトウエアにより行なってもよい。また、実地上それ自体知られている他のシステムを用いてそのような溶接を（半）自動的にチェックしてもよい。ここでは、透明という用語は、少なくとも、それに限らないが、上述の接合をチェックするのに適切な光の周波数に対して透過性であることを意味する。
【００３０】
詳細な説明においては、懸架リングの協働する縁部と容器の首部、特にその上側の構造の一例を提示したが、例えばミルフォード市ソニテック−ソニック・アンド・サーマル・テクノロジーズ社（Ｓｏｎｉｔｅｋ−Ｓｏｎｉｃ＆Ｔｈｅｒｍａｌ  Ｔｅｃｈｎｏｌｏｇｉｅｓ，  Ｉｎｃ．）の刊行物から知られているように、多くの変更が可能である。これらおよび類似の構造を本発明による保持装置１において使用してもよい。可能な複数の構造からの選択は選択された使用に基づいて当業者により容易に行ない得る。例示的な一実施の形態では、懸架リング１５は縁部１７において厚さが３．０ｍｍであり、縁部３２は高さ０．６ｍｍのほぼ三角形上の断面を有する。懸架リング１５および首部６はＰＥＴから製造された。テルソニック（Ｔｅｌｓｏｎｉｃ）社のソノトロード（Ｓｏｎｏｔｒｏｄｅ）ＴＥ２０  １０４Ｂ２／１を備えた超音波溶接機ＵＳＰ−３０００／５ＫＷ型を用いて、溶接圧力２．９バール、最大パワー５５６２Ｗ、エネルギー３００Ｗｓ、保持時間０．５秒、超音波照射時間１１０ｍｓの設定で、懸架リング１５を首部６に溶接した。当然、他の超音波溶接機も使用可能であり、設定は、就中、使用された材料および使用された形状による。
【００３１】
図６に保持装置１の一実施の形態が図示されている。図１による実施の形態と同様であるが、ブラケット１３は首部６および内部空間８内に、懸架リング１５を覆って首部に締着された保持リング４８により、係止されている。この実施の形態では、首部６は内側にショルダー４９が設けられており、この肩部４９上に保持リング１５が置かれている。肩部４９の周りに直立縁部５０が延びており、直立縁部５０の高さは懸架リング１５厚さにほぼ等しい。このようにして、懸架リングが保持リング４８と肩部４９の間に係止される。保持リング４８は中央開口部５１を有し、この中央開口部５１を貫通して分注装置４の一部分が延びていてもよい。首部６は外側に２つの補強縁部５２、５３を設けられている。これらにより、首部の寸法安定性が向上される。保持リング４８は、２つの補強縁部５２の上側のものに嵌合する環状溝５４を有し、そのため強固な結合が得られ、ブラケット１３が適切に容器２に係止される。この結合は溶接することもできるが、必須ではないという利点がある。従って、プラスチックおよび／または他の材料の任意の所望の組み合わせを使用することができる。
【００３２】
ブラケットおよび／または懸架リング１５は容器２とおよび／または相互に接着または融合により結合されていてもよい。
【００３３】
図７は、図２に示すものと同様の保持装置の一部を示す図である。保持リング４８は首部６と懸架リング１５を覆ってねじ込まれる。そのとき、懸架リング１５は前述のように首部６の上側に置かれ保持リング４８によって首部６に対して締着される。
【００３４】
図８は、図１および図２による保持装置１の一部分（左）と、別の実施の形態による保持装置の一部分とを弁２３およびライザー管２８を省いて、隣り合わせに図示したものである。懸架ブラケット１３は図６と同様に肩部４９上のリング２０に懸架されている。保持リング４８−ここでは、図１による懸架リング１５と同様の設計であるが縁部１９を持たない−がリング２０を覆って首部６上に置かれ、溶接または接着のような連結技術により首部６に連結される。リング２０の外径Ｄｒは肩部４８の上方で首部６の内径Ｄｂよりもわずかに大きくなっていてもよく、その場合、リング２０はラジアル方向にわずかに締着される。このように、ブラケット１３保持リング４８の締結の際に、保持リング４８をその目的のために押しつける必要なく、適切な位置により良く保持されることが可能である。弁は縁部２２に、例えば締着またはクリンチにより固定することができる。
【００３５】
図９は、懸架ブラケット１３の斜視図、上面図および側面図である。懸架ブラケット１３はプラスチックから製造されるのが好ましく、締着リング１４と通過開口部９９を有するリング２０とを備え、結合部分５５により相互に結合されている。結合部分５５は２つの立上がり面３６を設けられており、これら立上がり面３６は、さらに、リング２０と結合部分５５の間の補強要素として機能する。リング２０は内側リング５６、中央リング５７及び外側リング５８を設けられ、スポーク５９により相互に結合されている。これらのスポーク５９は、例えばラジアル方向に、例えば、内側リング５６から外側リング５８までまたはこれを越えたところまで延びている。外側リング５８に、例えばスポーク５９により部分的に突起が形成されており、これら突起は肩部４９の上方の縁部５０に対してまたは保持リング４８に対して係合することができる。それらは、縁部５０または保持リング内にリング２０が締着されるように、好ましくは、僅かに変形が可能であるような大きさになっている。このようにして、ブラケットの運動、例えばガタつき、揺動または転動を、少なくとも保持リング４８が載置および／または締結される前に防止することができる。少なくとも内側リング５６は開放されており、そのため分注装置４の一部分が内側リング５６を通って延在することができる。
【００３６】
図１０にブラケット１３の別の実施の形態の斜視図、底面図、上面図および側面図を示す。この実施の形態でも、たとえば圧力調節器を保持するために、締着リング１４が設けられており、結合要素５５によりリング２０に結合されている。この実施の形態では、リング２０は、スポーク５９により相互に結合された２つの同心リング５６、５８と面６１を備える。面には、スポーク間に、開口部６２が設けられている。内側リングはこの場合も開いている。この実施例では、結合部分５５はわずかに管状かつ実質的に真っ直ぐであり、そのためブラケットはブラケット１３は引き抜き可能であり、単純な開閉モールドを用いて製造することができる。リング２０は、底面図および上面図で見ると、それぞれ締着リング１４のわずかに上方および下方に延びており、結合部分５５は２つのリング１４、２０の仮想交差面に等しい形状を有する。また、リング２０首部内にまたは首部に適合および／または締着するために突起６０を保持リング４８の下方または保持リング４８内に設けてもよい。
【００３７】
図１１Ａに、容器２を示す。容器２はその中にブラケット１３を懸架しており、ブラケット１３は図１０に示すように設計されている。明らかに視認できるように、突起６０は首部６の内側、特に肩部４９の上方の縁部５０に当接している。図１１Ａには、保持リング４８が図示され、リング２０の上に置かれているが、図１１では保持リング４８は省略されている。
【００３８】
図１２は、保持リング１５を用いたブラケット１３の懸架の代替手段を示す。この代替手段は図１および図２によるものと同様であるが、保持リング１５の外側縁部６３に下方に延びる縁部６４が設けられ、縁部６４は、首部６の外側ねじ山６６と協働することができる内側ねじ山６５を設けられている。当然、これもそれ自体公知の異なる結合、例えば差し込み式（ｂａｙｏｎｅｔ）結合であってもよい。所望により、保持リング１５と首部６の結合は、締めることはできるが緩めることはできないように、例えば使い捨てねじまたはラチェット結合を用いることにより設計してもよい。
【００３９】
図１３に、図１２に示したものと同様の結合が図示されているが、ブラケット１３のリング２０は肩部４９に置かれ、保持リング４８は首部６にねじ込まれ、それによりリング２０、ひいてはブラケット１３が係止される。
【００４０】
図１４は、容器２の底部７上に支持体またはスタンドリング６７を設けた保持装置１の一部仮想図である。この支持体またはスタンドリング６８は、特に容器の底部７が凸状にできるという利点を得られる。別の利点保持装置をより良く、特によ・BR>闊タ定して立てることができるとともに、積み重ね可能にできる。さらに、リング６７は容器を保護することができる。リングは好ましくはプラスチックから製造される。
【００４１】
図１５に２つの保持装置１の積み重ね方法の概略が示されている。下の保持装置１は首部６を覆うキャップ８８を、例えば下端５３の下にスナップフィンガー８９を用いて締着することにより、設けられている。キャップ８８は弁２３を覆い、それにより弁２３が保護され、さらに意図されない使用がなされないようにされている。キャップ８８は、従って、改ざん防止機能を有する。キャップ８８上にグリップ９０を設けることができる。グリップ９０は、図１５に示す貯蔵位置から、上方に保持装置１から遠ざかる方向に延びている持ち運び位置に曲げることが可能であり、そのため、保持装置１はグリップにより担持可能である。また、キャップ上または首部の周りにバッグ、ブリスターその他の包装材９１を設けることができ、例えば注ぎ口部分４０、４１、４２を包装紙、保持装置１と一緒に供給することができる。例えば紙、段ボールまたはプラスチックから製造された中間シート９２を多数の相互に隣接して配置された保持装置１上に置いてもよい。この中間シートは変形部９３または開口部を設けられていてもよく、これらは保持装置のキャップ８８にまたはその周りに配置されていてもよい。次の保持装置または保持装置１の層は、次いで、中間シート９２上に変形部９３または開口部を覆って下にある保持装置１の上方に置くことができる。それらについて多くの変形例が可能であり、これらは当業者にはただちに明らかである。
【００４２】
図６では、２つの保持装置１がグリップ９０により相互に連結された状態が概略側面図で示される。この実施の形態のグリップ９０は、例えば射出成形により一緒に成形することができ、相互に破壊部分９４、例えば比較的薄い橋かけ部により結合されている。連結されたグリップ９０は、貯蔵および輸送の際に保持装置に安定性を提供することができるが、一方それらは２つの保持装置を機械によりまたは手動で一緒に持ち上げることを可能にする。手は、保持装置1を持ち上げるための、２つの連結されたグリップを包含する。さらに、グリップは保持装置１が積まれるとき、特に保持装置が相互に噛合ったパターンで積まれる場合に安定性を与える。さらに、グリップは保持装置１が積まれるときに安定性を与えることができる。
【００４３】
本発明は詳細な説明および図面に表された実施の形態に何ら限定されない。特許請求の範囲に概要を記載された本発明の枠内で多くの変形例が可能である。
【００４４】
変形例はこれらは示された実施の形態の部分の全ての組み合わせを含む。例えば、容器は全体的または部分的に異なって形成してもよく、異なる質量または他の飲料を包装してもよく、さらに、保持装置および加圧装置は任意の所望の形状および寸法を有していてもよい。また、圧力調節装置は容器の外側にまたは容器と内側容器との間に配置してもよい。
【国際調査報告】
2011517647.tif 000020
2011517647.tif 000021
2011517647.tif 000022
2011517647.tif 000023